(57)【特許請求の範囲】
【請求項１】
バッテリを装着したバッテリ駆動端末をどれだけの時間、駆動させたいかを示す希望駆動時間に関する情報と、前記バッテリが前記バッテリ駆動端末をどれだけの時間、駆動できるかを示す実駆動時間に関する情報とを、複数の前記バッテリ駆動端末から収集して、データベースで管理するバッテリ情報管理手段と、
前記データベースで管理された前記希望駆動時間に関する情報および前記実駆動時間に関する情報に基づいて、第１バッテリ駆動端末に装着された第１バッテリが前記第１バッテリ駆動端末を第１希望駆動時間、駆動できるか否か判定する判定手段と、
前記判定手段が前記第１バッテリでは前記第１バッテリ駆動端末を前記第１希望駆動時間、駆動することができないと判定した場合に、前記データベースで管理された前記複数のバッテリ駆動端末に装着されたバッテリの前記実駆動時間に関する情報を参照して、前記複数のバッテリ駆動端末に装着された前記バッテリの中から、前記第１希望駆動時間以上に前記第１バッテリ駆動端末を駆動できる第２バッテリを検索するバッテリ検索手段と、
を備えたことを特徴とする情報処理システム。
【請求項２】
前記データベースは、バッテリ駆動端末の情報と、希望駆動時間に関する情報と、実駆動時間に関する情報とを対応付けて登録することを特徴とする請求項１に記載の情報処理システム。
【請求項３】
前記バッテリ検索手段による検索の結果、見つかった前記第２バッテリと前記第１バッテリとの交換をユーザに促すメッセージを前記第１バッテリ駆動端末に通知する第１通知手段をさらに備えることを特徴とする請求項１または２に記載の情報処理システム。
【請求項４】
前記第１通知手段は、前記データベースの前記実駆動時間に関する情報中に、前記第１希望駆動時間より長い実駆動時間を有するバッテリが存在しない場合に、前記第１バッテリと未使用バッテリとの交換をユーザに促すメッセージを前記第１バッテリ駆動端末に通知することを特徴とする請求項３に記載の情報処理システム。
【請求項５】
前記第２バッテリを装着した第２バッテリ駆動端末のユーザが希望する第２希望駆動時間と、前記第１バッテリが前記第１バッテリ駆動端末を駆動できる第１実駆動時間から推定した、前記第１バッテリが前記第２バッテリ駆動端末を駆動できる推定駆動時間とを比較する比較手段と、
前記比較手段による比較の結果、前記推定駆動時間が前記第２希望駆動時間より長い場合に、前記第１バッテリと前記第２バッテリとの交換をユーザに促すメッセージを前記第２バッテリ駆動端末に通知する第２通知手段と、
をさらに備えたことを特徴とする請求項１乃至４のいずれか１項に記載の情報処理システム。
【請求項６】
前記バッテリ情報管理手段は、各バッテリ駆動端末のカタログに記載されているバッテリの駆動時間であるバッテリ設計値を前記データベースで管理し、
前記判定手段は、前記データベースで管理された前記希望駆動時間に関する情報および前記バッテリ設計値に基づいて、前記第１バッテリ駆動端末の第１希望駆動時間が前記第１バッテリ駆動端末に装着された前記第１バッテリの前記バッテリ設計値以下であるか否か判定し、
前記バッテリ設計値が前記第１希望駆動時間を下回る場合に、前記第１希望駆動時間が前記バッテリ設計値以下になるように促す表示をポップアップする指示を、前記複数のバッテリ駆動端末を管理する管理者用装置に通知する第３通知手段をさらに備えることを特徴とする請求項１乃至５のいずれか１項に記載の情報処理システム。
【請求項７】
前記バッテリ情報管理手段は、前記希望駆動時間に関する情報と、前記実駆動時間に関する情報とを取得するバッテリ情報取得手段を備え、
前記バッテリ情報取得手段は、前記実駆動時間に関する情報を一定間隔おきに更新することを特徴とする請求項１乃至６のいずれか１項に記載の情報処理システム。
【請求項８】
前記実駆動時間は、満充電されたバッテリがバッテリ駆動端末を駆動してバッテリ残量が無くなるまでの前記バッテリの駆動時間である請求項１乃至７のいずれか１項に記載の情報処理システム。
【請求項９】
バッテリ情報管理手段が、バッテリを装着したバッテリ駆動端末をどれだけの時間、駆動させたいかを示す希望駆動時間に関する情報と、前記バッテリが前記バッテリ駆動端末をどれだけの時間、駆動できるかを示す実駆動時間に関する情報とを、複数の前記バッテリ駆動端末から収集して、データベースで管理するバッテリ情報管理ステップと、
判定手段が、前記データベースで管理された前記希望駆動時間に関する情報および前記実駆動時間に関する情報に基づいて、第１バッテリ駆動端末に装着された第１バッテリが前記第１バッテリ駆動端末を第１希望駆動時間、駆動できるか否か判定する判定ステップと、
前記判定ステップにおいて前記第１バッテリでは前記第１バッテリ駆動端末を前記第１希望駆動時間、駆動することができないと判定した場合に、バッテリ検索手段が、前記データベースで管理された前記複数のバッテリ駆動端末に装着されたバッテリの前記実駆動時間に関する情報を参照して、前記複数のバッテリ駆動端末に装着された前記バッテリの中から、前記第１希望駆動時間以上に前記第１バッテリ駆動端末を駆動できる第２バッテリを検索するバッテリ検索ステップと、
を含むことを特徴とする情報処理方法。
【請求項１０】
バッテリを装着したバッテリ駆動端末をどれだけの時間、駆動させたいかを示す希望駆動時間に関する情報と、前記バッテリが前記バッテリ駆動端末をどれだけの時間、駆動できるかを示す実駆動時間に関する情報とを、複数の前記バッテリ駆動端末から収集して、データベースで管理するバッテリ情報管理ステップと、
前記データベースで管理された前記希望駆動時間に関する情報および前記実駆動時間に関する情報に基づいて、第１バッテリ駆動端末に装着された第１バッテリが前記第１バッテリ駆動端末を第１希望駆動時間、駆動できるか否か判定する判定ステップと、
前記判定ステップにおいて前記第１バッテリでは前記第１バッテリ駆動端末を前記第１希望駆動時間、駆動することができないと判定した場合に、前記データベースで管理された前記複数のバッテリ駆動端末に装着されたバッテリの前記実駆動時間に関する情報を参照して、前記複数のバッテリ駆動端末に装着された前記バッテリの中から、前記第１希望駆動時間以上に前記第１バッテリ駆動端末を駆動できる第２バッテリを検索するバッテリ検索ステップと、
をコンピュータに実行させることを特徴とする情報処理プログラム。
【発明の詳細な説明】
【技術分野】
【０００１】
本発明は、バッテリを管理するバッテリ管理技術に関する。
【背景技術】
【０００２】
上記技術分野において、特許文献１に示されているように、ユーザがバッテリの使用状況を把握し、バッテリの端末駆動時間の減少に合わせて交換保守を行なう技術が知られている。
【先行技術文献】
【特許文献】
【０００３】
【特許文献１】特開2003-256084号公報
【発明の概要】
【発明が解決しようとする課題】
【０００４】
しかしながら、バッテリ駆動端末ごとに要求する連続駆動時間が相違するにも関わらず、上記従来技術では、それに着目していなかった。そのため、複数端末に対して一括してバッテリ交換を指示するに過ぎなかった。このことから、バッテリの劣化によりバッテリ駆動端末の駆動時間が減少すると、ユーザはまだ使えるバッテリであっても処分して交換してしまっていた。結果として、バッテリの利用に無駄が生じていた。
【０００５】
本発明の目的は、上述の課題を解決する技術を提供することにある。
【課題を解決するための手段】
【０００６】
上記目的を達成するため、本発明に係る情報処理システムは、
バッテリを装着したバッテリ駆動端末をどれだけの時間、駆動させたいかを示す希望駆動時間に関する情報と、前記バッテリが前記バッテリ駆動端末をどれだけの時間、駆動できるかを示す実駆動時間に関する情報とを、複数の前記バッテリ駆動端末から収集して、データベースで管理するバッテリ情報管理手段と、
前記データベースで管理された前記希望駆動時間に関する情報および前記実駆動時間に関する情報に基づいて、第１バッテリ駆動端末に装着された第１バッテリが前記第１バッテリ駆動端末を第１希望駆動時間、駆動できるか否か判定する判定手段と、
前記判定手段が前記第１バッテリでは前記第１バッテリ駆動端末を前記第１希望駆動時間、駆動することができないと判定した場合に、前記データベースで管理された前記複数のバッテリ駆動端末に装着されたバッテリの前記実駆動時間に関する情報を参照して、前記複数のバッテリ駆動端末に装着された前記バッテリの中から、前記第１希望駆動時間以上に前記第１バッテリ駆動端末を駆動できる第２バッテリを検索するバッテリ検索手段と、
を備えたことを特徴とする。
【０００７】
上記目的を達成するため、本発明に係る情報処理方法は、
バッテリ情報管理手段が、バッテリを装着したバッテリ駆動端末をどれだけの時間、駆動させたいかを示す希望駆動時間に関する情報と、前記バッテリが前記バッテリ駆動端末をどれだけの時間、駆動できるかを示す実駆動時間に関する情報とを、複数の前記バッテリ駆動端末から収集して、データベースで管理するバッテリ情報管理ステップと、
判定手段が、前記データベースで管理された前記希望駆動時間に関する情報および前記実駆動時間に関する情報に基づいて、第１バッテリ駆動端末に装着された第１バッテリが前記第１バッテリ駆動端末を第１希望駆動時間、駆動できるか否か判定する判定ステップと、
前記判定ステップにおいて前記第１バッテリでは前記第１バッテリ駆動端末を前記第１希望駆動時間、駆動することができないと判定した場合に、バッテリ検索手段が、前記データベースで管理された前記複数のバッテリ駆動端末に装着されたバッテリの前記実駆動時間に関する情報を参照して、前記複数のバッテリ駆動端末に装着された前記バッテリの中から、前記第１希望駆動時間以上に前記第１バッテリ駆動端末を駆動できる第２バッテリを検索するバッテリ検索ステップと、
を含むことを特徴とする。
【０００８】
上記目的を達成するため、本発明に係る情報処理プログラムは、
バッテリを装着したバッテリ駆動端末をどれだけの時間、駆動させたいかを示す希望駆動時間に関する情報と、前記バッテリが前記バッテリ駆動端末をどれだけの時間、駆動できるかを示す実駆動時間に関する情報とを、複数の前記バッテリ駆動端末から収集して、データベースで管理するバッテリ情報管理ステップと、
前記データベースで管理された前記希望駆動時間に関する情報および前記実駆動時間に関する情報に基づいて、第１バッテリ駆動端末に装着された第１バッテリが前記第１バッテリ駆動端末を第１希望駆動時間、駆動できるか否か判定する判定ステップと、
前記判定ステップにおいて前記第１バッテリでは前記第１バッテリ駆動端末を前記第１希望駆動時間、駆動することができないと判定した場合に、前記データベースで管理された前記複数のバッテリ駆動端末に装着されたバッテリの前記実駆動時間に関する情報を参照して、前記複数のバッテリ駆動端末に装着された前記バッテリの中から、前記第１希望駆動時間以上に前記第１バッテリ駆動端末を駆動できる第２バッテリを検索するバッテリ検索ステップと、
をコンピュータに実行させることを特徴とする。
【発明の効果】
【０００９】
本発明によれば、バッテリを無駄なく使うことができる。
【図面の簡単な説明】
【００１０】
【図１】本発明の第１実施形態に係る情報処理システムの構成を示すブロック図である。
【図２】本発明の第２実施形態に係る情報処理システムの構成を示すブロック図である。
【図３】本発明の第２実施形態に係る情報処理システムにおけるノートＰＣデータベースを示す図である。
【図４】本発明の第２実施形態に係る情報処理システムにおけるバッテリ情報データベースを示す図である。
【図５】本発明の第２実施形態に係る情報処理システムにおけるバッテリ情報データベースの充足グループのテーブルを示す図である。
【図６】本発明の第２実施形態に係る情報処理システムにおけるバッテリ情報データベースの不足グループのテーブルを示す図である。
【図７】本発明の第２実施形態に係る情報処理システムにおけるノートＰＣとサーバとの手続の処理の流れを示すフローチャートである。
【図８】本発明の第２実施形態に係る情報処理システムにおけるノートＰＣとサーバとの手続の処理の流れを示すフローチャートである。
【図９】本発明の第２実施形態に係る情報処理システムにおける管理者用ＰＣとノートＰＣとの処理の流れを示すフローチャートである。
【図１０】本発明の第２実施形態に係る情報処理システムにおけるノートＰＣとサーバとの手続の処理の流れを示すフローチャートである。
【図１１】本発明の第２実施形態に係る情報処理システムにおけるサーバの処理の流れを示すフローチャートである。
【図１２】本発明の第２実施形態に係る情報処理システムにおけるサーバの処理の流れを示すフローチャートである。
【図１３】本発明の第２実施形態に係る情報処理システムにおけるサーバの処理の流れを示すフローチャートである。
【図１４】本発明の第２実施形態に係る情報処理システムにおけるノートＰＣとサーバとの手続の処理の流れを示すフローチャートである。
【発明を実施するための形態】
【００１１】
以下に、本発明を実施するための形態について、図面を参照して、例示的に詳しく説明記載する。ただし、以下の実施の形態に記載されている、構成、数値、処理の流れ、機能要素などは一例に過ぎず、その変形や変更は自由であって、本発明の技術範囲を以下の記載に限定する趣旨のものではない。
【００１２】
［第１実施形態］
本発明の第１実施形態としての情報処理システム１００について、図１を用いて説明する。
【００１３】
図１に示すように、情報処理システム１００は、バッテリ情報管理部１１０と、判定部１２０と、バッテリ検索部１３０とを含む。
【００１４】
バッテリ情報管理部１１０は、第１バッテリを装着した第１バッテリ駆動端末をどれだけの時間駆動させたいかを示す第１希望駆動時間に関する情報１１１を管理する。バッテリ情報管理部１１０は、少なくとも１つの他のバッテリを装着した少なくとも１つの他のバッテリ駆動端末をどれだけの時間駆動できるかを示す実駆動時間に関する情報１１２を管理する。
【００１５】
判定部１２０は、第１バッテリが第１バッテリ駆動端末を第１希望駆動時間駆動できるか否か判定する。バッテリ検索部１３０は、第１バッテリでは第１バッテリ駆動端末を第１希望駆動時間駆動することができないと判定部１２０が判定した場合に、少なくとも１つの他のバッテリ駆動端末に装着された少なくとも１つの他のバッテリの中から、第１希望駆動時間以上に第１バッテリ駆動端末を駆動できる第２バッテリを検索する。
【００１６】
以上の構成及び動作により、本実施形態によれば、バッテリを無駄なく使うことができる。
【００１７】
［第２実施形態］
次に本発明の第２実施形態に係る情報処理システム２００について、図２を用いて説明する。図２は、本発明の第２実施形態に係る情報処理システム２００の構成を示すブロック図である。
【００１８】
（情報処理システムの構成）
情報処理システム２００は、サーバ２０１と、管理者用ＰＣ２５０と、ノートＰＣ２６１と、ノートＰＣ２６２とが、ネットワークを介して接続されている。サーバ２０１は、バッテリ情報管理部２１０と、判定部２２０と、通知部２２１と、比較部２２２と、バッテリ検索部２３０と、ノートＰＣデータベース２４０とを備える。
【００１９】
さらに、バッテリ情報管理部２１０は、希望駆動時間情報データベース２１１と、実駆動時間情報データベース２１２と、バッテリ情報取得部２１３と、バッテリ情報データベース２１４とを備える。また、バッテリ検索部２３０は、テーブル生成部２３１を備える。また、バッテリ２６１ａ〜２６ｎａは、バッテリがノートＰＣを駆動できる時間を表示する。
【００２０】
バッテリ情報管理部２１０は、バッテリを管理したいノートＰＣ２６１〜２６ｎに関する希望駆動時間情報と、ノートＰＣ２６１〜２６ｎに関する実駆動時間情報とを、ネットワークを介して収集し管理する。なお、本実施形態おけるノートＰＣはバッテリ駆動端末の一例であって、本発明は他にタブレット型ＰＣ（タブレット端末）や携帯端末にも適用可能である。
【００２１】
なお、希望駆動時間情報は、バッテリを装着したノートＰＣ２６１〜２６ｎをどれだけの時間駆動させたいかについての時間を示す。また、実駆動時間情報は、バッテリを装着したノートＰＣ２６１〜２６ｎを実際に駆動できる時間を示す。
【００２２】
バッテリ情報取得部２１３は、ノートＰＣ２６１からノートＰＣ２６ｎに関する希望駆動時間を希望駆動時間情報データベース２１１に登録する。バッテリ情報取得部２１３は、さらに、ノートＰＣ２６１からノートＰＣ２６ｎに関する実駆動時間を実駆動時間情報データベース２１２に登録する。なお、バッテリ情報取得部２１３は、ノートＰＣ２６１からノートＰＣ２６ｎに関する実駆動時間を、一定間隔おきに更新する。また、バッテリ情報取得部２１３は、例えば、ノートＰＣ２６２に装着されたバッテリ２６２ａが、ノートＰＣ２６１を駆動できると推定される推定駆動時間に関する情報をノートＰＣ２６２から取得する。
【００２３】
ノートＰＣデータベース２４０は、ノートＰＣ２６１乃至ノートＰＣ２６ｎの型番と、ノートＰＣ２６１乃至ノートＰＣ２６ｎ製造番号と、ユーザ名と、ユーザのメールアドレスとを登録する。さらに、ノートＰＣデータベース２４０は、ノートＰＣ２６１乃至ノートＰＣ２６ｎに装着されたバッテリ残量を一定間隔ごとに比較する周期であるバッテリ比較周期と、各ノートＰＣのバッテリを最後に比較した最終更新日とを登録する。ノートＰＣデータベース２４０は、登録している上記バッテリに関する情報を、ネットワークを介して各ノートＰＣから取得する。
【００２４】
次に、バッテリ情報管理部２１０は、各ノートＰＣの型番と、各ノートＰＣの製造番号と、各ノートＰＣのカタログに記載されているバッテリの駆動時間であるバッテリ設計値などバッテリに関する情報を管理する。そして、バッテリ情報管理部２１０は、これらバッテリに関する情報をバッテリ情報データベース２１４に登録する。なお、バッテリ情報管理部２１０において管理される情報は、これら情報に限られない。
【００２５】
バッテリ情報データベース２１４は、上述の情報の他に、テーブル生成部２３１において生成された充足グループのテーブル５００（図５）と、不足グループのテーブル６００（図６）等を登録する。詳細な説明は図４乃至図６の説明において行なう。
【００２６】
判定部２２０は、ノートＰＣ２６１に装着されたバッテリ２６１ａが、ノートＰＣ２６１を第１希望駆動時間駆動できるか否か判定する。具体的には、バッテリ情報管理部２１０は、ネットワークを介してノートＰＣ２６１から取得したバッテリ２６１ａの第１実駆動時間が２時間であるとの情報を、実駆動時間情報データベース２１２に登録する。また、同様にネットワークを介してノートＰＣ２６１から取得した第１希望駆動時間に関する情報を、バッテリ情報管理部２１０は、希望駆動時間情報データベース２１１に登録する。
【００２７】
そして、判定部２２０が第１実駆動時間から第１希望駆動時間を引いた時間を求めて、第１実駆動時間の方が短いと判定した場合には、通知部２２１は、ノートＰＣ２６１にバッテリを交換する指示を通知する。
【００２８】
一方、判定の結果、第１希望駆動時間より第１実駆動時間が長い場合、バッテリ検索部２３０は、実駆動時間情報データベース２１２に登録された情報から、第１希望駆動時間以上にノートＰＣ２６１を駆動できると推定されるバッテリを検索する。
【００２９】
検索の結果見つかった、第１希望駆動時間以上にノートＰＣ２６１を駆動できるバッテリ２６２ａについて、通知部２２１は、バッテリ２６２ａとバッテリ２６１ａとの交換をユーザに促すメッセージをノートＰＣ２６１に通知する。
【００３０】
バッテリ２６２ａとの交換を促すメッセージを通知されたノートＰＣ２６１において、バッテリ交換が行なわれた場合には、バッテリ検索部２３０は、ノートＰＣ２６１に装着されたバッテリ２６２ａがノートＰＣ２６１を駆動することができる時間を計測する。そして、バッテリ情報取得部２１３は、バッテリ２６２ａがノートＰＣ２６１を駆動することができる時間を第２実駆動時間として取得する。
【００３１】
バッテリ検索部２３０は、この第２実駆動時間が第１希望駆動時間より長いか否か計測し、第２実駆動時間の方が第１希望駆動時間より長い場合には、バッテリ交換の作業は終了する。一方、第２実駆動時間の方が第１希望駆動時間より短いと計測した場合には、バッテリ検索部２３０は、バッテリ交換が正しく行なわれていないものとして、バッテリ検索作業を継続する。
【００３２】
通知部２２１は、第１希望駆動時間の方が短くなるように、交換したバッテリ２６２ａと、他のバッテリと再度交換すべきことをユーザに促すメッセージをノートＰＣ２６１に繰り返し通知する。通知部２２１は、第１希望駆動時間以上にノートＰＣ２６１を駆動できるバッテリが実駆動時間情報データベース２１２の情報中に存在しない場合に、バッテリ２６１ａと未使用バッテリ（新品）との交換をユーザに促すメッセージをノートＰＣ２６１に通知する。
【００３３】
比較部２２２は、ノートＰＣ２６２のユーザが希望する第２希望駆動時間と、バッテリ２６１ａがノートＰＣ２６２を駆動できると推定される推定駆動時間とを比較する。そして、比較の結果、推定駆動時間が第２希望駆動時間より長い場合には、通知部２２１は、バッテリ２６１ａとバッテリ２６２ａとの交換をユーザに促すメッセージを、ノートＰＣ２６２に通知する。
【００３４】
なお、比較部２２２は、バッテリ２６１ａがノートＰＣ２６１を実際に駆動できる第１実駆動時間から、ノートＰＣ２６２に装着されたバッテリ２６２ａがノートＰＣ２６２を駆動できる推定駆動時間を求める。
【００３５】
次に、管理者用ＰＣ２５０はネットワークを介して、ノートＰＣ２６１、ノートＰＣ２６２、及び第ｎノートＰＣ２６ｎ（各ノートＰＣ）から、バッテリ交換に必要なバッテリ設計値、バッテリ比較周期に関する情報を取得する。そして、管理者用ＰＣ２５０は、これら情報をサーバ２０１のバッテリ情報取得部２１３に送信する。
【００３６】
なお、バッテリ２６１ａ〜２６ｎａは、バッテリがノートＰＣを駆動できる時間を表示するものであり、本実施例において、バッテリ２６１ａはバッテリ設計値が５時間であり、実駆動時間が２時間であることを示す。また、バッテリ２６２ａはバッテリ設計値が５時間であり、実駆動時間が４時間であることを示す。
【００３７】
図３は、本実施形態に係る情報処理システム２００におけるノートＰＣデータベース２４０を示す図である。ノートＰＣデータベース２４０は、各ノートＰＣの型番２４１と、各ノートＰＣの製造番号２４２と、各ノートＰＣのユーザ名２４３とを登録する。さらに、データベース２４０は、各ユーザのメールアドレス２４４と、各ノートＰＣのバッテリ比較周期２４５と、各ノートＰＣのバッテリを最後に比較した最終更新日２４６とを登録する。本実施例では、ノートＰＣの型番２４１はいずれもＰＣ−ＶＹ１６＊＊＊＊＊で同一である。また、本実施例において、製造番号３００＊＊＊のノートＰＣのユーザ名２４３が田中さんであり、メールアドレス２４４がtanaka***であり、バッテリ比較周期２４５が１ヶ月であり、最終更新日２４６が２０１１年○月×日であることが示されている。
【００３８】
図４は、本実施形態に係る情報処理システム２００におけるバッテリ情報データベース２１４を示す図である。バッテリ情報データベース２１４は、各ノートＰＣの型番２４１と、各ノートＰＣの製造番号２４２と、各ノートＰＣのバッテリ設計値２１４ａと、各ノートＰＣの希望駆動時間２１４ｂと、各ノートＰＣの実駆動時間２１４ｃとを登録する。さらに、バッテリ情報データベース２１４は、各ノートＰＣの比較フラグ２１４ｄと、交換フラグ２１４ｅと、バッテリ交換先２１４ｆとを登録する。本バッテリ情報データベース２１４は、製造番号２４２が３００＊＊＊のノートＰＣのバッテリ設計値２１４ａが６時間であり、希望駆動時間２１４ｂが５時間であり、実駆動時間２１４ｃが２時間であることを示す。また、バッテリ情報データベース２１４は、製造番号２４２が３００＊＊＊のノートＰＣの比較フラグ２１４ｄが"１"であり、交換フラグが"０"であり、バッテリ交換先２１４ｆが製造番号７００＊＊＊のノートＰＣであることを示す。また、製造番号２４２が５００＊＊＊のノートＰＣのバッテリ交換先２１４ｆには、"新品"が登録されている。バッテリ情報データベース２１４は、実駆動時間情報データベース２１２に登録されたバッテリには、交換可能なバッテリが存在しないことと、５００＊＊＊のノートＰＣに装着されているバッテリを新品と交換することとを示す。
【００３９】
図５は、本実施形態に係る情報処理システム２００におけるバッテリ情報データベース２１４の充足グループのテーブル５００を示す図である。充足グループ５００は、各ノートＰＣの製造番号２４２、各ノートＰＣの希望駆動時間２１４ｂ、各ノートＰＣの実駆動時間２１４ｃ、各ノートＰＣの希望駆動時間２１４ｂから実駆動時間２１４ｃを引いて求めた時間差の過不足５１０を登録する。本実施例においてテーブル５００は、製造番号２４２が７００＊＊＊のノートＰＣに装着されたバッテリの希望駆動時間２１４ｂが０時間であることと、実駆動時間２１４ｃが５時間であるのでその差の過不足５１０が"５"であることとを示す。
【００４０】
図６は、本実施形態に係る情報処理システム２００におけるバッテリ情報データベース２１４の不足グループのテーブル６００を示す図である。不足グループ６００は、各ノートＰＣの製造番号２４２と、各ノートＰＣの希望駆動時間２１４ｂと、各ノートＰＣの実駆動時間２１４ｃと、各ノートＰＣの希望駆動時間２１４ｂから実駆動時間２１４ｃを引いて求めた時間差の過不足５１０を登録する。本実施例においてテーブル６００は、製造番号２４２が５００＊＊＊のノートＰＣに装着されたバッテリの希望駆動時間２１４ｂが５時間であることと、実駆動時間２１４ｃが２時間であるのでその差の過不足５１０が"−３"であることをを示す。
【００４１】
（バッテリ交換の流れ）
次に、各ノートＰＣと、管理者用ＰＣ２５０と、サーバ２０１との処理の流れを図７乃至図１４を用いて示す。
【００４２】
図７及び図８は、本実施形態に係る情報処理システム２００における各ノートＰＣとサーバ２０１との手続の処理の流れを示すフローチャートである。
【００４３】
図７について説明する。各ノートＰＣは、ステップＳ１０１においてサーバ２０１にログインし、ステップＳ１０３において、アプリケーションを立ち上げ、ステップＳ１０５においてサーバ２０１へのセッションを開始する。ステップＳ１０５において、各ノートＰＣにてセッションが開始されなければ、ステップＳ１０３に戻りアプリを立ち上げる。一方、各ノートＰＣにてセッションが開始されると、ステップＳ１０７において、各ノートＰＣは、各ノートＰＣの型番２４１、各ノートＰＣの製造番号２４２、各ノートＰＣのユーザ名２４３、各ユーザのメールアドレス２４４をサーバ２０１に送信する。さらに、各ノートＰＣは、各ノートＰＣのバッテリ設計値２１４ａ、各ノートＰＣの実駆動時間２１４ｃ、及び各ノートＰＣの希望駆動時間２１４ｂをサーバ２０１に送信する。
【００４４】
ステップＳ１０９において、サーバ２０１は、各ノートＰＣから各種情報を受信する。ステップＳ１１１において、サーバ２０１は、各ノートＰＣから受信したノートＰＣの型番２４１、各ノートＰＣの製造番号２４２、各ノートＰＣのユーザ名２４３、各ユーザのメールアドレス２４４の各種情報をノートＰＣデータベース２４０に登録する。また、ステップＳ１１１において、サーバ２０１は、各ノートＰＣに装着された各バッテリに関するバッテリ比較周期２４５、各バッテリのバッテリ設計値２１４ａをバッテリ情報データベース２１４に登録する。
【００４５】
そして、各ノートＰＣの希望駆動時間２１４ｂは、希望駆動時間情報データベース２１１に登録され、各ノートＰＣの実駆動時間２１４ｃは実駆動時間情報データベース２１２に登録される。各バッテリのバッテリ比較周期２４５、及び各バッテリのバッテリ設計値２１４ａは、バッテリ情報取得部２１３において取得され、バッテリ情報データベース２１４に登録される。
【００４６】
次に図８について説明する。管理者用ＰＣ２５０は、テップＳ１１３においてサーバ２０１にログインし、ステップＳ１１５において、アプリケーションを立ち上げ、ステップＳ１１７においてサーバ２０１へのセッションを開始する。
【００４７】
ステップＳ１１９において、管理者用ＰＣ２５０は、各ノートＰＣに対するバッテリ設計値２１４ａと、各ノートＰＣの希望駆動時間２１４ｂ、各バッテリのバッテリ比較周期２４５に関する情報をサーバ２０１に送信する。ステップＳ１２１において、サーバ２０１は、管理者用ＰＣ２５０から各ノートＰＣについての情報を受け取る。ステップＳ１２３において、判定部２２０は、各ノートＰＣの希望駆動時間２１４ｂがバッテリ設計値２１４ａ以下か否か判定する。判定の結果、希望駆動時間２１４ｂがバッテリ設計値２１４ａ以下の場合には、ステップＳ１２５に進み、バッテリ情報管理部２１０は、各ノートＰＣの各種情報をノートＰＣデータベース２４０、またはバッテリ情報データベース２１４に登録する。
【００４８】
一方、各バッテリのバッテリ設計値２１４ａが各ノートＰＣの希望駆動時間２１４ｂを下回っている場合には、ステップＳ１２７に進む。そして、通知部２２１は、各ノートＰＣの希望駆動時間２１４ｂがバッテリ設計値２１４ａ以下になるように、バッテリ変更すべきことを、各ノートＰＣに促す表示をポップアップする指示を、管理者用ＰＣ２５０に通知する。
【００４９】
ステップＳ１２９において、管理者用ＰＣ２５０は、各ノートＰＣの希望駆動時間２１４ｂがバッテリ設計値２１４ａ以下になるように、バッテリ変更すべきことを各ノートＰＣに促すポップアップを表示する。
【００５０】
図９は、本実施形態に係る情報処理システム２００における管理者用ＰＣ２５０と各ノートＰＣとの処理の流れを示すフローチャートである。ステップＳ１３１において、管理者用ＰＣ２５０は、各ノートＰＣデータベース２４０に、バッテリ比較周期２４５を経過した各ノートＰＣがあるか否か確認し、バッテリ比較周期２４５を経過した各ノートＰＣがない場合には終了する。一方、バッテリ比較周期２４５を経過した各ノートＰＣがある場合には、ステップＳ１３３に進み、管理者用ＰＣ２５０は、バッテリ比較周期２４５を経過した各ノートＰＣにバッテリ情報の収集を指示する。
【００５１】
ステップＳ１３５において、各ノートＰＣは、バッテリ情報の収集指示を管理者用ＰＣ２５０から受け取る。ステップＳ１３７において、各ノートＰＣは、バッテリリフレッシュを開始し、ステップＳ１３９において、バッテリが満充電されるまで充電を行なう。
【００５２】
図１０は、本実施形態に係る情報処理システム２００における各ノートＰＣとサーバ２０１との処理の流れを示すフローチャートである。ステップＳ１４１において、各ノートＰＣは、バッテリが満充電されたら、バッテリがノートＰＣを駆動するバッテリ駆動時間の計測を開始する。ステップＳ１４３において、各ノートＰＣは、実駆動時間２１４ｃの計測を開始してから、バッテリ残量が無くなるまでのバッテリの駆動時間を実駆動時間２１４ｃとして取得する。
【００５３】
ステップＳ１４５において、各ノートＰＣはバッテリの充電を再開し、ステップＳ１４７において、各ノートＰＣの型番２４１、各ノートＰＣの製造番号２４２、各バッテリの実駆動時間２１４ｃをサーバ２０１に送信する。
【００５４】
ステップＳ１５１において、サーバ２０１は、各ノートＰＣから各ノートＰＣに関する各種情報を受け取る。ステップＳ１５３において、サーバ２０１は、受信した各ノートＰＣに関する各種情報をノートＰＣデータベース２４０に登録し、また、バッテリの実駆動時間２１４ｃに関する情報を実駆動時間情報データベース２１２に登録する。
【００５５】
図１１は、本実施形態に係る情報処理システム２００におけるサーバ２０１の処理の流れを示すフローチャートである。ステップＳ１６１において、バッテリ情報管理部２１０は、すべてのノートＰＣからバッテリ情報を取得できたか否か確認し、バッテリ情報を取得できていない場合には、ステップＳ１５１に戻る。
【００５６】
一方、ステップＳ１６３において、バッテリ情報管理部２１０は、バッテリ情報データベース２１４に登録されてい各るノートＰＣの比較フラグ２１４ｄの欄に"１"を登録する。この比較フラグ２１４ｄは、各ノートＰＣがバッテリ比較周期２４５においてバッテリ交換先２１４ｆとして選択されたか否か示すものである。
【００５７】
ステップＳ１６５において、バッテリ情報管理部２１０は、バッテリ情報データベース２１４に掲載された比較フラグ２１４ｄの欄が"１"である各ノートＰＣに対して、ノートＰＣデータベース２４０の「最終更新日」２４６に更新日の日付を登録する。また、バッテリ情報管理部２１０は、実駆動時間２１４ｃから希望駆動時間２１４ｂを引いた時間の差が充足か不足か、過不足５１０を求める。
【００５８】
ステップＳ１６７において、バッテリ検索部２３０は、各ノートＰＣの実駆動時間２１４ｃから希望駆動時間２１４ｂを引いた時間を求め、実駆動時間２１４ｃが希望駆動時間２１４ｂより長い場合には、ステップＳ１６９に進む。ステップＳ１６９において、テーブル生成部２３１は、かかるノートＰＣを「充足グループ」のテーブル５００に分類し、かかるノートＰＣに装着されたバッテリを実駆動時間情報データベース２１２に登録２１４ｅする。そして、ステップＳ１７１において、テーブル生成部２３１は、実駆動時間２１４ｃが長いノートＰＣが最上段に登録されるようにテーブル５００を生成する。
【００５９】
一方、ステップＳ１６７において、ノートＰＣの実駆動時間２１４ｃが希望駆動時間２１４ｂより短い場合には、ステップＳ１７３に進む。ステップＳ１７３において、テーブル生成部２３１は、かかるノートＰＣを「不足グループ」のテーブル６００に分類し、かかるノートＰＣに装着されたバッテリを希望駆動時間情報データベース２１１に登録する。ステップＳ１７５において、テーブル生成部２３１は、希望駆動時間２１４ｂが長いノートＰＣが最上段に登録されるようにテーブルを生成する。
【００６０】
次に、ステップＳ１７７において、バッテリ検索部２３０は、バッテリ交換が必要なノートＰＣがあるか否か「不足グループ」のテーブル６００に登録されたられたノートＰＣの台数を確認する。そして、バッテリ交換が必要なノートＰＣがなければ、ステップＳ１７９において、バッテリ検索部２３０は、「充足グループ」のテーブル５００を初期化して、バッテリ交換可能なバッテリの数を"０"にする。
【００６１】
ステップＳ１８１において、通知部２２１は、バッテリ情報データベース２１４のバッテリ交換フラグ２１４ｅの欄が"１"であるノートＰＣに、バッテリ交換依頼メールを送信する。このメールは、ノートＰＣデータベース２４０に登録された各ノートＰＣの各ユーザのメールアドレス２４４を参照して送信される。なお、バッテリ交換フラグ２１４ｅは、各ノートＰＣが、バッテリ交換を必要とするか否かを示すものである。ステップＳ１８３において、通知部２２１は、新品バッテリの購入個数を指示する通知を、管理者用ＰＣ２５０にポップアップ表示する。
【００６２】
図１２は、本実施形態に係る情報処理システム２００におけるサーバ２０１の処理の流れを示すフローチャートである。
【００６３】
ステップＳ１９１において、バッテリ情報管理部２１０は、希望駆動時間２１４ｂが短いノートＰＣのうち、１／３のノートＰＣについてはバッテリ交換が頻繁に行なわれるおそれを回避するために、希望駆動時間２１４ｂを１時間増して登録する。
【００６４】
ステップＳ１９３において、バッテリ検索部２３０は、不足グループのテーブル６００内の希望駆動時間２１４ｂが最長のノートＰＣと、充足グループのテーブル５００内の実駆動時間２１４ｃが最長のノートＰＣとを対応させる。そして、バッテリ検索部２３０は、実駆動時間２１４ｃが最長のものから、希望駆動時間２１４ｂが最長のものを引いた時間の差を求め、希望駆動時間２１４ｂが実駆動時間２１４ｃより短くなるように順次組み合わせる。
【００６５】
ステップＳ１９５において、バッテリ検索部２３０は、充足グループのテーブル５００内の実駆動時間２１４ｃから、不足グループのテーブル６００内の希望駆動時間２１４ｂを引いて求めた時間差を比較する。比較の結果、実駆動時間２１４ｃの方が長い場合には、ステップＳ２０１において、通知部２２１は、バッテリ交換を各ノートＰＣのユーザに促す通知を行なう。そして、バッテリ交換が済むと、ステップＳ２０３において、バッテリ情報取得部２１３は、バッテリ情報データベース２１４のバッテリ交換フラグ２１４ｅの欄に"１"を登録し、バッテリ交換先２１４ｆの欄にバッテリ交換先のノートＰＣの製造番号を登録する。
【００６６】
一方、ステップＳ１９５において、バッテリ検索部２３０は、実駆動時間２１４ｃから希望駆動時間２１４ｂを引いた際に実駆動時間２１４ｃが短く、他に実駆動時間２１４ｃが長いバッテリがテーブル５００に存在しない場合には、ステップＳ１９７に進む。ステップＳ１９７において、バッテリ情報取得部２１３は、不足グループのテーブル６００内で希望駆動時間２１４ｂが最長のノートＰＣに対して、バッテリ情報データベース２１４のバッテリ交換先２１４ｆの欄に"新品"を登録する。そして、バッテリ情報取得部２１３は、バッテリ交換フラグ２１４ｅの欄に"１"を登録する。バッテリ交換先２１４ｆの欄に"新品"が登録され場合に、通知部２２１は、不足グループのテーブル６００内で希望駆動時間２１４ｂが最長のノートＰＣに、バッテリを"新品"と交換することを促す通知を行なう。
【００６７】
ステップＳ１９９において、バッテリ検索部２３０は、不足グループのテーブル６００内でバッテリ交換フラグ２１４ｅの欄が"１"のノートＰＣに割り当てたバッテリを、希望駆動時間２１４ｂが２番目に長いノートＰＣに割り当てる。
【００６８】
図１３は、本実施形態に係る情報処理システム２００におけるサーバ２０１の処理の流れを示すフローチャートである。ステップＳ２１１において、バッテリ検索部２３０は、バッテリの交換を促した各ノートＰＣに、交換後のバッテリを装着した結果として実駆動時間２１４ｃから希望駆動時間２１４ｂを引いた時間差が充足又は不足のいずれであるか求める。そして、不足がある場合には、ステップＳ１６５に戻る。一方、充足している場合には、ステップＳ２１３に進み、バッテリ検索部２３０は、不足グループのテーブル６００に登録された各ノートＰＣのうち、バッテリ交換フラグ２１４ｅの欄に"０"が登録された台数を確認する。バッテリ交換フラグ２１４ｅの欄に"０"が登録された台数が１台以上ある場合には、ステップＳ１９５に戻る。
【００６９】
一方、バッテリ交換フラグ２１４ｅの欄に"０"が登録された台数が０台である場合には、ステップＳ２１５に進み、テーブル生成部２３１は、バッテリを交換した不足グループのテーブル６００の各ノートＰＣの比較フラグの欄に"０"を登録する。ステップＳ２１７において、テーブル生成部２３１は、充足グループのテーブル５００及び不足グループのテーブル６００の情報に基づいて、バッテリ情報データベース２１４のデータを更新し、両グループのデータを初期化する。そして、ステップＳ１６５に戻り、バッテリ情報管理部２１０は、ノートＰＣデータベース２４０の最終更新日２４６を更新する。
【００７０】
図１４は、本実施形態に係る情報処理システム２００における各ノートＰＣとサーバ２０１との処理の流れを示すフローチャートである。
【００７１】
ステップＳ２２１において、通知部２２１は、バッテリ情報データベース２１４に登録されたバッテリ交換フラグ２１４ｅが“１”である各ノートＰＣがネットワークに接続されたか否か監視する。接続された場合には、ステップＳ２２３において、通知部２２１は、接続された各ノートＰＣのユーザに対してバッテリ交換を促す表示を通知する。
【００７２】
ステップＳ２２５において、各ノートＰＣは、装着しているバッテリと通知部２２１から通知された交換対象のノートＰＣのバッテリとを交換したか否かを確認する通知を表示する。交換した場合には、ステップＳ２２７において、各ノートＰＣは、交換後のバッテリを装着したノートＰＣの実駆動時間２１４ｃを計測して、ノートＰＣの型番２４１と、ノートＰＣの製造番号２４２と、計測結果とをサーバ２０１に送信する。
【００７３】
ステップＳ２２９において、判定部２２０は、各ノートＰＣから型番２４１と、製造番号２４２と、計測結果とを受信する。ステップＳ２３１において、バッテリ検索部２３０は、実駆動時間２１４ｃから希望駆動時間２１４ｂを引いた時間差を求めて、希望駆動時間２１４ｂが充足されているか不足か確認する。希望駆動時間２１４ｂが充足されている場合には、ステップＳ２３３において、バッテリ情報管理部２１０は、バッテリ情報データベース２１４の交換フラグ２１４ｅ及び比較フラグに"０"を登録する。
【００７４】
一方、希望駆動時間２１４ｂが充足されていない場合には、ステップＳ２３５に進み、バッテリ検索部２３０は、正しい交換対象のノートＰＣとのバッテリ交換をユーザに促す表示を各ノートＰＣに通知する。
【００７５】
そして、ステップＳ２３７において各ノートＰＣは、正しい交換対象のノートＰＣのバッテリと、装着されているバッテリとを交換すべきことをユーザに促すメッセージを表示する。
【００７６】
以上の構成及び動作により、本実施形態によれば、バッテリがノートＰＣを駆動できる時間がノートＰＣを駆動させたい時間より短い場合に、ノートＰＣを駆動させたい時間より長い時間駆動できる他のバッテリを検索してバッテリ無駄なく使うことができる。
［他の実施形態］
以上、本発明の実施形態について詳述したが、それぞれの実施形態に含まれる別々の特徴を如何様に組み合わせたシステム又は装置も、本発明の範疇に含まれる。
【００７７】
また、本発明は、複数の機器から構成されるシステムに適用されてもよいし、単体の装置に適用されてもよい。さらに、本発明は、実施形態の機能を実現する情報処理プログラムが、システムあるいは装置に直接あるいは遠隔から供給される場合にも適用可能である。したがって、本発明の機能をコンピュータで実現するために、コンピュータにインストールされるプログラム、あるいはそのプログラムを格納した媒体、そのプログラムをダウンロードさせるＷＷＷ(World Wide W３eb)サーバも、本発明の範疇に含まれる。
【００７８】
［実施形態の他の表現］
上記の実施形態の一部又は全部は、以下の付記のようにも記載されうるが、以下には限られない。
【００７９】
（付記１）
第１バッテリを装着した第１バッテリ駆動端末をどれだけの時間駆動させたいかを示す第１希望駆動時間に関する情報と、少なくとも１つの他のバッテリを装着した少なくとも１つの他のバッテリ駆動端末をどれだけの時間駆動できるかを示す実駆動時間に関する情報とを、前記第１バッテリ駆動端末及び前記少なくとも１つの他のバッテリ駆動端末から収集して管理するバッテリ情報管理手段と、
前記第１バッテリが前記第１バッテリ駆動端末を前記第１希望駆動時間駆動できるか否か判定する判定手段と、
前記第１バッテリでは、前記第１バッテリ駆動端末を前記第１希望駆動時間駆動することができない、と前記判定手段が判定した場合に、前記少なくとも１つの他のバッテリ駆動端末に装着された前記少なくとも１つの他のバッテリの中から、前記第１希望駆動時間以上に前記第１バッテリ駆動端末を駆動できる第２バッテリを検索するバッテリ検索手段と、
を備えたことを特徴とする情報処理システム。
（付記２）
検索の結果見つかった前記第２バッテリと前記第１バッテリとの交換をユーザに促すメッセージを前記第１バッテリ駆動端末に通知する第１通知手段をさらに備えることを特徴とする付記１に記載の情報処理システム。
（付記３）
前記第１通知手段は、前記実駆動時間に関する情報中に、前記第１希望駆動時間より長い実駆動時間を有する前記少なくとも１つの他のバッテリが存在しない場合に、前記第１バッテリと未使用バッテリとの交換をユーザに促すメッセージを前記第１バッテリ駆動端末に通知することを特徴とする付記２に記載の情報処理システム。
（付記４）
前記第２バッテリを装着した第２バッテリ駆動端末のユーザが希望する第２希望駆動時間と、前記第１バッテリが前記第２バッテリ駆動端末を駆動できると推定される推定駆動時間とを比較する比較手段と、
比較の結果、前記推定駆動時間が、前記第２希望駆動時間より長い場合に、前記第１バッテリと前記第２バッテリとの交換をユーザに促すメッセージを前記第２バッテリ駆動端末に通知する第２通知手段と、
をさらに備えたことを特徴とする付記１乃至３のいずれか１項に記載の情報処理システム。
（付記５）
前記比較手段は、前記第１バッテリが前記第１バッテリ駆動端末を実際に駆動できる第１実駆動時間から前記推定駆動時間を推定することを特徴とする付記４に記載の情報処理システム。
（付記６）
前記第１希望駆動時間に関する情報と、前記少なくとも１つの他のバッテリが前記少なくとも１つの他のバッテリ駆動端末をどれだけの時間駆動させたいかを示す希望駆動時間に関する情報とを取得するバッテリ情報取得手段を備えることを特徴とする付記１乃至５のいずれか１項に記載の情報処理システム。
（付記７）
前記バッテリ情報取得手段は、さらに、前記第１バッテリ及び前記少なくとも１つの他のバッテリに関する情報として、前記第１実駆動時間に関する情報と、前記実駆動時間に関する情報とを取得することを特徴とする付記６に記載の情報処理システム。
（付記８）
前記バッテリ情報取得手段は、前記第１実駆動時間に関する情報と前記実駆動時間に関する情報とを、一定間隔おきに更新することを特徴とする付記７に記載の情報処理システム。
（付記９）
第１バッテリを装着した第１バッテリ駆動端末をどれだけの時間駆動させたいかを示す第１希望駆動時間に関する情報と、少なくとも１つの他のバッテリを装着した少なくとも１つの他のバッテリ駆動端末をどれだけの時間駆動できるかを示す実駆動時間に関する情報とを、前記第１バッテリ駆動端末及び前記少なくとも１つの他のバッテリ駆動端末から収集して管理するバッテリ情報管理ステップと、
前記第１バッテリが前記第１バッテリ駆動端末を前記第１希望駆動時間駆動できるか否か判定する判定ステップと、
前記第１バッテリでは、前記第１バッテリ駆動端末を前記第１希望駆動時間駆動することができない、と前記判定ステップが判定した場合に、前記少なくとも１つの他のバッテリ駆動端末に装着された前記少なくとも１つの他のバッテリの中から、前記第１希望駆動時間以上に前記第１バッテリ駆動端末を駆動できる第２バッテリを検索するバッテリ検索ステップと、
を備えたことを特徴とする情報処理方法。
（付記１０）
第１バッテリを装着した第１バッテリ駆動端末をどれだけの時間駆動させたいかを示す第１希望駆動時間に関する情報と、少なくとも１つの他のバッテリを装着した少なくとも１つの他のバッテリ駆動端末をどれだけの時間駆動できるかを示す実駆動時間に関する情報とを、前記第１バッテリ駆動端末及び前記少なくとも１つの他のバッテリ駆動端末から収集して管理するバッテリ情報管理ステップと、
前記第１バッテリが前記第１バッテリ駆動端末を前記第１希望駆動時間駆動できるか否か判定する判定ステップと、
前記第１バッテリでは、前記第１バッテリ駆動端末を前記第１希望駆動時間駆動することができない、と前記判定ステップが判定した場合に、前記少なくとも１つの他のバッテリ駆動端末に装着された前記少なくとも１つの他のバッテリの中から、前記第１希望駆動時間以上に前記第１バッテリ駆動端末を駆動できる第２バッテリを検索するバッテリ検索ステップと、
をコンピュータに実行させることを特徴とする情報処理プログラム。
【図１】
0005371126.tif 000002
【図２】
0005371126.tif 000003
【図３】
0005371126.tif 000004
【図４】
0005371126.tif 000005
【図５】
0005371126.tif 000006
【図６】
0005371126.tif 000007
【図７】
0005371126.tif 000008
【図８】
0005371126.tif 000009
【図９】
0005371126.tif 000010
【図１０】
0005371126.tif 000011
【図１１】
0005371126.tif 000012
【図１２】
0005371126.tif 000013
【図１３】
0005371126.tif 000014
【図１４】
0005371126.tif 000015